(57)【要約】  本発明は、無線周波数チューナ（１）と、少なくとも１つの後続の表面音波フィルタ（２）とを有し、無線周波数チューナ（１）がその入力に適用されたＲＦテレビ信号をフィルタリングし、それを表面音波フィルタ（２）へ接続された中間周波数テレビ信号に変換する、テレビ信号受信器に関する。ＲＦチューナ（１）は、中間周波数に変換されるＩＦテレビ信号を供給する少なくとも１つの出力ステージ（１６）を有する。出力ステージ（１６）は、ＲＦチューナ（１）の出力（６）に直接接続される。スイッチ（１０）が出力ステージ（１６）に接続される。ＩＦテレビ信号は、スイッチ（１０）により、第二の出力（８）へ供給される。別のスイッチ（１１）が第二の出力（８）に接続される。出力（８）は、スイッチ（１１）により、固定基準電位へ切り替えられ得る。ＲＦチューナ（１）の次に少なくとも１つの表面音波フィルタ（２）が設けられ、そこでは、毎回、表面音波フィルタ（２）の第一の入力（１２）がＲＦチューナ（１）の第一の出力（６）に接続され、表面音波フィルタ（２）の第二の入力（１３）が第一のスイッチ（１０）を通じてＲＦチューナ（１）の第二の出力（８）に接続され、テレビ信号受信器のフィルタ特性を切り替えるために、表面音波フィルタ（２）の第二の入力（１３）がスイッチ（１０）により交互に同じＩＦテレビ信号に接続され得る。
2005513964.tif 000002
【特許請求の範囲】
【請求項１】
無線周波数チューナと、
少なくとも１つの後続の表面音波フィルタとを有し、
前記無線周波数チューナは、その入力に適用されたＲＦテレビ信号をフィルタリングし、それを前記表面音波フィルタへ接続された中間周波数テレビ信号に変換する、テレビ信号受信器であって、
前記無線周波数チューナは、中間周波数に変換される前記ＩＦテレビ信号を供給する少なくとも１つの出力ステージを有し、
前記出力ステージは、出力に接続され、
スイッチが前記出力ステージに接続され、
前記ＩＦテレビ信号は、前記スイッチにより、第二の出力へ供給され、
別のスイッチが前記第二の出力に接続され、
前記第二の出力は、前記別のスイッチにより、固定基準電位へ切り替えることができ、
前記無線周波数チューナの次に少なくとも１つの表面音波フィルタが設けられ、
毎回、前記表面音波フィルタの第一の入力は、前記無線周波数チューナの第一の出力に接続されると共に、前記表面音波フィルタの第二の入力は、前記スイッチを通じて、前記無線周波数チューナの第二の出力に接続され、
前記テレビ信号受信器のフィルタ特性を切り替えるために、前記表面音波フィルタの前記第二の入力は、前記スイッチにより、交互に、同じＩＦテレビ信号に接続され得る、ことを特徴とするテレビ信号受信器。
【請求項２】
請求項１記載のテレビ信号受信器であって、
前記表面音波フィルタは、そのフィルタ特性が、該表面音波フィルタの前記第二の入力が前記無線周波数チューナの前記出力ステージに接続されているか否かに応じて変わるように実施され、
前記表面音波フィルタのフィルタ特性は、前記無線周波数チューナの前記出力ステージに接続された前記スイッチによって、又は、前記第二の入力が前記第二の出力に接続された前記別のスイッチによって固定基準電位に接続されているか否かによって、切替可能である、ことを特徴とするテレビ信号受信器。
【請求項３】
請求項１又は２記載のテレビ信号受信器であって、
第二の表面音波フィルタを更に有し、
前記第二の表面音波フィルタにおいて、該第二の表面音波フィルタの第一の入力は前記無線周波数チューナの第二の出力に接続されると共に、該第二の表面音波フィルタの第二の入力は前記無線周波数チューナの第三の出力と接続され、
前記第二の表面音波フィルタは、前記第一及び第二の入力のいずれが基準電位に接続されているかに応じて切替可能であるように実施され、
前記表面音波フィルタは、前記スイッチ及び前記別のスイッチによって、切替可能である、ことを特徴とするテレビ信号受信器。
【請求項４】
請求項１記載のテレビ信号受信器であって、
前記テレビ信号受信器は、複数の送信規格のテレビ信号を受信する様々な種類の表面音波フィルタを含む複数規格テレビ信号受信器であり、
前記表面音波フィルタ及び前記第二の表面音波フィルタ及びこれら両フィルタの様々な送信規格のＩＦテレビ信号に適合するためのフィルタ特性は、前記スイッチ及び前記別のスイッチによって切替可能である、ことを特徴とするテレビ信号受信器。
【請求項５】
請求項１乃至４のいずれか一項記載のテレビ信号受信器であって、
前記第一、第二、及び第三の出力及び前記無線周波数チューナの前記スイッチ及び前記別のスイッチは集積回路として実施される、ことを特徴とするテレビ信号受信器。
【請求項６】
請求項１乃至５のいずれか一項記載のテレビ信号受信器を有するテレビ。
【請求項７】
請求項１乃至５のいずれか一項記載のテレビ信号受信器を有するビデオ録画機。
【発明の詳細な説明】
【発明の詳細な説明】
【０００１】
本発明は、無線周波数チューナと、少なくとも１つの後続の表面音波フィルタとを有し、上記無線周波数チューナは、その入力に適用されたＲＦテレビ信号をフィルタリングし、それを切替可能とし得る上記表面音波フィルタへ接続された中間周波数テレビ信号に変換する、テレビ信号受信器に関する。
【０００２】
このようなテレビ信号受信器は、特に、異なる送信規格のＲＦテレビ信号を受信する異なる種類の複数の表面音波フィルタ（同じく切替可能）を備えるように実施される。表面音波フィルタのフィルタ特性は、ＩＦテレビ信号の所定の接続占有と、表面音波フィルタの入力における固定基準電位とによって決定される。表面音波フィルタを起動するには、異なる種類の表面音波フィルタについて、これらフィルタの異なる切替ロジックに基づいた追加的回路が用いられなければならない。表面音波フィルタのフィルタ特性が表面音波フィルタの異なる入力が基準電位に切り替えられるように切り替えられるという概念も存在する。これらの概念の欠点は、必要な切替数の多さと、それに伴う非常に多くの部品点数である。
【０００３】
本発明の目的は、様々な表面音波フィルタ用の、特に複数規格受信用の、上記のようなテレビ信号受信器の部品点数を減らすことである。
【０００４】
本発明によれば、この目的は、無線周波数チューナが中間周波数テレビ信号に変換されるＩＦテレビ信号を供給する少なくとも１つの出力ステージを有し、出力ステージが無線周波数チューナの一出力に接続され、スイッチが出力ステージに接続され、ＩＦテレビ信号がこのスイッチにより無線周波数チューナの第二の出力へ供給され、別のスイッチがこの第二の出力に接続され、この第二の出力がこの別のスイッチにより固定基準電位へ切り替えることができ、無線周波数チューナの次に少なくとも１つの表面音波フィルタが設けられ、この表面音波フィルタにおいては、毎回、表面音波フィルタの第一の入力が無線周波数チューナの第一の出力に接続され、表面音波フィルタの第二の入力が第一のスイッチを通じて無線周波数チューナの第二の出力に接続され、テレビ信号受信器のフィルタ特性を切り替えるために、表面音波フィルタの第二の入力がスイッチにより交互に同じＩＦテレビ信号に接続され得る、ことにより解決される。
【０００５】
本無線周波数チューナは、中間周波数に変換されるＲＦテレビ信号を供給する少なくとも１つの出力ステージを有する。２つの直列に並べられたスイッチがこの出力ステージに接続される。これらスイッチにより、２つの接続された出力は、基準電位に切替可能であるか、或いは、同じＩＦテレビ信号を供給する。
【０００６】
次いで配置された表面音波フィルタは、その第一の入力においてＲＦチューナの一出力に直接接続される。表面音波フィルタの第一の入力は、一定のＩＦテレビ信号を必要とし、第二の入力は第一のフィルタ特性として同じＩＦテレビ信号か、或いは、（第二のフィルタ特性として）固定基準電位かのいずれかを必要とする。第二の出力は、２つの直列に並べられたスイッチの一方を通じて、ＲＦチューナの同じ出力ステージに接続される。よって、ＲＦチューナの出力に接続されたこれらスイッチにより、表面音波フィルタにおいて異なるフィルタの切替が可能となる。このように、テレビ信号受信器のフィルタ特性を切り替えることができる。この目的のために必要なものは、上記出力ステージに接続された上記２つのスイッチだけである。
【０００７】
第一のスイッチを入れた場合、ＲＦチューナの出力は、表面音波フィルタの２つの入力に接続されるため、表面音波フィルタの切替が可能となる。ＲＦチューナを表面音波フィルタへつなげる追加的回路又は回路リード線が必要ではない。
【０００８】
一方で、必要なスイッチの数が低減され、他方で、これらスイッチをＲＦチューナと一体の構造とすることができる。なぜなら、それらは本チューナの出力ステージと接続されているからである。これは、本受信器の製造コストの大幅な低減をもたらす。
【０００９】
表面音波フィルタのフィルタ特性が第二の入力が無線周波数チューナの出力に接続されているか否かに応じて変更されると共に、表面音波フィルタのフィルタ特性が無線周波数チューナの出力に接続された第一及び第二のスイッチにより切替可能である、ことが好ましい。
【００１０】
この種の表面音波フィルタは、２つの入力を有し、両入力ともフィルタリングされる信号を受信することができる。しかし、別の方法として、第二の入力は、基準電位に接続されなければならない。これにより、表面音波フィルタのフィルタ特性が変化する。第一の入力はアクティブな入力のままであり、その入力信号が対応する起動されたフィルタ特性でフィルタリングされる。
【００１１】
本発明に係るテレビ信号受信器において、上記フィルタは、その入力の１つがＲＦチューナの出力に接続されている。ＲＦチューナの出力に接続されたスイッチを交互に入れることにより、上記表面音波フィルタのフィルタ特性がシンプルに切り替えられる。
【００１２】
本発明の別の実施形態において、部品点数を増やすことなく、異なる切替特性を有するおそらく切替可能な複数の表面音波フィルタを用いることができる。このために必要なものは、接続されたスイッチを備えたＲＦチューナの第二の出力ステージだけである。
【００１３】
この種の表面音波フィルタのフィルタ特性を２つのフィルタ特性間で切り替えるためには、表面音波フィルタの第一の入力又は第二の入力のいずれかにＩＦテレビ信号が供給されなければならない。そのとき、他方の入力は、固定基準電位に接続される。
【００１４】
上記両種類の表面音波フィルタは、本発明に係る回路構成において組み合わせることができる。本発明に係るテレビ信号受信器において、これは、１つの回路構成において両フィルタ種類を用いることを可能にする。すなわち、複数の上記フィルタ又は切替可能なフィルタ特性を同時に且つ組み合わせて用いることができる。異なる種類のフィルタを組み合わせることにより、本受信器を多用途に使うことができる。
【００１５】
複数規格テレビ受信器においては、複数のフィルタ特性間で切り替えるオペレーションが実行されなければならない。それにもかかわらず、本発明に係るテレビ信号受信器は、少ない部品点数で実現することができる。
【００１６】
また、本発明は、異なる送信規格のテレビ信号を受信する複数規格テレビ信号受信器に関し、異なる送信規格のＩＦテレビ信号に適合した表面音波フィルタ及びそのフィルタ特性が上記スイッチによって切替可能である。
【００１７】
本発明に係るテレビ信号受信器によって可能となった異なる種類の表面音波フィルタの組み合わせは、ＲＦチューナの出力及び接続されたす一致が一集積回路上で実現される点で補完される。
【００１８】
本発明の上記及び他の態様は、以下に記載する実施形態を参照することにより、明らかとされる。
【００１９】
図１は、ＲＦチューナ１のアンプ４の出力ステージ１６が中間周波数テレビ信号を供給することを示す。このＩＦテレビ信号は、図示しない方法により、中間周波数レンジへの変換によってＲＦチューナの入力に適用されるＲＦテレビ信号から得られる。
【００２０】
ＲＦチューナ１は、逆位相のＩＦテレビ信号を供給する第二のアンプ５の第二の出力ステージ１７を有する。
【００２１】
アンプ４の出力からのＩＦテレビ信号を基準電位に接続可能にする２つのスイッチ１０及び１１は、第一の出力ステージ１６に接続される。ＲＦチューナの第一の出力６は、アンプ４の出力ステージ１６及びスイッチ１０へ接続される。スイッチ１０及びスイッチ１０に直列に配置されたスイッチ１１により、出力６を、ＩＦテレビ信号を運ぶか、或いは、低オームで基準電位に接続されるように交互に切り替えることができる。スイッチ１０を通じて、第二の出力８を、ＩＦテレビ信号を運ぶか、或いは、低オームで基準電位に接続されるように交互に切り替えることができる。
【００２２】
第二の出力ステージ１７に接続されたスイッチ９により、アンプ５に接続されたＲＦチューナ１の第三の出力７も、ＩＦテレビ信号か、或いは、低オームで基準電位に接続されるかが交互に切替可能である。
【００２３】
さらに、図１に図示したテレビ信号受信器は、異なる種類の２つの表面音波フィルタ２及び３を有する。
【００２４】
表面音波フィルタ（以下、「ＳＡＷフィルタ」という）２は、２つの入力１２及び１３を有する。両入力は、フィルタリングされる信号を同時に受信することができる。フィルタ特性を切り替えるために、第二の入力１３を基準電位に接続することができる。そのとき、第一の入力はアクティブな入力のままであり、その入力信号は関連するフィルタ特性でフィルタリングされる。第一の入力１２は、ＲＦチューナ１の第一の入力６に接続される。第二の入力１３はＲＦチューナ１の出力８に接続される。
【００２５】
ＳＡＷフィルタ３は、２つの入力１４及び１５を有する。ＳＡＷフィルタ３は、ＳＡＷフィルタ２とは異なる種類のフィルタである。ＳＡＷフィルタ３の２つの入力１４及び１５は、基本的に、フィルタされる信号を受信できる。しかし、両入力の一方は、交互に、基準電位に接続されなければならない。これにより、ＳＡＷフィルタのフィルタ特性が切り替えられる。そのとき、残りの入力はアクティブな入力のままであり、その入力信号は、対応する、起動されたフィルタ特性でフィルタリングされる。
【００２６】
ＳＡＷフィルタ３の第一の入力１４はＲＦチューナの第二の出力８に接続され、ＳＡＷフィルタ３の第二の入力１５はＲＦチューナ１の第三の出力７に接続される。
【００２７】
第一のＳＡＷフィルタ２は、そのフィルタ特性が、入力１３が基準電位に接続されているか或いは入力１３において同じＩＦテレビ信号に接続されているかに応じて切り替えられる、ように実施される。例えば、スイッチ１１が入れられ、スイッチ１０が開いており、したがってＳＡＷフィルタ２の入力１３が基準電位に接続されている場合、ＳＡＷフィルタ２の入力１２に適用される信号は、第一のフィルタ特性でフィルタリングされる。スイッチ１０が入れられ、第二のスイッチ１１が開いている場合、ＳＡＷフィルタ２の両入力１２及び１３には同じＩＦテレビ信号が適用され、この信号はＳＡＷフィルタ２の第二のフィルタ特性でフィルタリングされる。
【００２８】
スイッチ１１は、同時に、第二のＳＡＷフィルタ３のフィルタ特性を切り替えるのに用いられる。第二のＳＡＷフィルタ３は、そのフィルタ特性が、その入力１４又は１５のいずれが基準電位に接続されているかに応じて切り替えられるように、実施される。例えば、スイッチ１１が入れられ、ゆえにＳＡＷフィルタ３の第一の入力１４が基準電位に接続されている場合、ＳＡＷフィルタ３の第二の入力１５に適用される信号は第一のフィルタ特性でフィルタリングされる。しかし、スイッチ９が入れられ、ゆえにＳＡＷフィルタ３の第一の入力１５が基準電位に接続されている場合、ＳＡＷフィルタ３の第一の入力１４に適用される信号は、第二のフィルタ特性でフィルタリングされる。
【００２９】
例から明らかなように、スイッチ９、１０、及び１１は、複数の機能をトリガし得る。特に、異なる種類の複数のＳＡＷフィルタのフィルタ特性を、これらスイッチによって切り替え、有効化、又は、無効化することができる。これは、従来の回路構成に比して、スイッチ数を低減する。これらスイッチをＲＦチューナの出力６、７、及び８及びそのアンプ４及び５と接続することによって、これらスイッチは、上記アンプとおそらくは集積回路として一体に構築することができるため、更なる簡素化が実現される。
【図面の簡単な説明】
【００３０】
【図１】部分的に図示されたＲＦチューナ１を有する、本発明に係るテレビ信号受信器を示す図である。
【図１】
2005513964.tif 000003
【国際調査報告】
2005513964.tif 000004
2005513964.tif 000005